(57)【要約】【課題】狭額縁化が可能な表示装置を提供する。【解決手段】表示装置は、表示パネルと、導光体と、放熱板と、収容体と、を備える。収容体は、放熱板の裏面側に配置される第１部位と、第１部位から折り曲げられ放熱板の側面の外側に配置される第２部位とを含む第１収容体を有する。第２部位の厚みは、放熱板の厚みよりも薄い。【選択図】図１
2020154192.tif 000002
【特許請求の範囲】
【請求項１】
表示パネルと、
前記表示パネルの裏面側に配置される導光体と、
前記導光体の裏面側に配置される放熱板と、
前記導光体及び前記放熱板を収容する収容体と、を備え、
前記収容体は、前記放熱板の裏面側に配置される第１部位と、前記第１部位から折り曲げられ、前記放熱板の側面の外側に配置される第２部位とを含む第１収容体を有し、
前記第２部位の厚みは、前記放熱板の厚みよりも薄い、
表示装置。
【請求項２】
前記第２部位の厚みは、前記放熱板の厚みの１／５倍以上１／２倍以下である、
請求項１に記載の表示装置。
【請求項３】
前記第１部位には開口が設けられ、前記開口から前記放熱板が露出している、
請求項１又は２に記載の表示装置。
【請求項４】
前記収容体は、前記第２部位の外側に配置される第３部位と、前記表示パネルと前記導光体との間に配置され、前記第３部位から内側に延びて、当該表示パネルを支持する第４部位とを含む第２収容体を有する
請求項１から３のいずれか１項に記載の表示装置。
【発明の詳細な説明】
【技術分野】
【０００１】
本開示は、表示装置に関する。
【背景技術】
【０００２】
表示パネルの背面側に配置されたバックライト装置からの光を利用して、表示パネルに画像を表示する透過型の液晶表示装置がある（特許文献１参照）。
【先行技術文献】
【特許文献】
【０００３】
【特許文献１】特開２０１５−２１０８５２号公報
【発明の概要】
【発明が解決しようとする課題】
【０００４】
バックライト装置の光源及び導光体が発熱するため、導光体の裏面には放熱板が取り付けられる。放熱板の外縁部を折り曲げ、放熱板を導光体の収容体にすることもできる。しかしながら、表示領域の外周に位置する額縁領域が放熱板の厚み分広く見えてしまう。表示装置では、表示領域の外周に位置する額縁領域を狭くする、いわゆる狭額縁化が望まれている。
【０００５】
本発明は、上記に鑑みてなされたものであり、狭額縁化が可能な表示装置を提供することを目的とする。
【課題を解決するための手段】
【０００６】
本発明の一態様に係る表示装置は、表示パネルと、前記表示パネルの裏面側に配置される導光体と、前記導光体の裏面側に配置される放熱板と、前記導光体及び前記放熱板を収容する収容体と、を備え、前記収容体は、前記放熱板の裏面側に配置される第１部位と、前記第１部位から折り曲げられ、前記放熱板の側面の外側に配置される第２部位とを含む第１収容体を有し、前記第２部位の厚みは、前記放熱板の厚みよりも薄い。
【図面の簡単な説明】
【０００７】
【図１】図１は、実施形態に係る表示装置の断面図である。
【図２】図２は、図１の分解斜視図である。
【図３】図３は、表示装置の第１収容体を示す斜視図である。
【図４】図４は、表示装置の第２収容体を示す斜視図である。
【図５】図５は、変形例に係る表示装置の断面図である。
【発明を実施するための形態】
【０００８】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【０００９】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
[実施形態]
図１は、第１の実施形態に係る表示装置の断面図である。図２は、図１の分解斜視図である。なお、詳細には、図１は、図２のＸ−Ｘ線による断面図である。
【００１１】
図１及び図２に示すように、本実施形態の表示装置１は、表示パネル１０と、バックライト部（照明部）２０と、放熱板３０と、光源２２０と、収容体４０とを有する。表示装置１は、例えば、バックライト部２０から放射された光を表示パネル１０で変調して、表示面に画像を表示する。
【００１２】
表示パネル１０は、第１基板１０１と、第２基板１０２と、液晶層１０３と、第１偏光板１０４と、第２偏光板１０５と、を有する。最も表面側（図１の上側）には、第１偏光板１０４が配置され、第１偏光板１０４の裏面側（図１の下側）には第１基板１０１が配置される。第１基板１０１の裏面側には液晶層１０３が配置され、液晶層１０３の裏面側には第２基板１０２が配置される。第２基板１０２の裏面側には第２偏光板１０５が配置される。
【００１３】
バックライト部２０から表面側に向けて放射された光は、第２偏光板１０５及び第２基板１０２を透過して液晶層１０３に入射し、液晶層１０３によって変調される。液晶層１０３によって変調された光は、第１基板１０１及び第１偏光板１０４を透過して、画像として認識される。ここで、第２偏光板１０５は、バックライト部２００から照射された光を直線偏光に変換する。第１偏光板１０４は、液晶層１０３の配向（変調量）の状態に応じて、光を透過又は遮断する。
【００１４】
表示パネル１０は、透光部６１と、透光部６１の外周側に配置された遮光部６２とを有する。透光部６１は表示装置１の表示領域であり、遮光部６２は表示装置１の額縁領域である。
【００１５】
バックライト部２０は、導光体２１０と、光源２２０と、を有する。導光体２１０は、板状の部材であり、例えば、平面視で矩形形状を有する。導光体２１０は、例えば、導光板２１１と、反射シート２１２と、第１レンズシート２１３と、第２レンズシート２１４と、拡散シート２１５と、を有する。
【００１６】
拡散シート２１５の裏面側には第２レンズシート２１４が配置され、第２レンズシート２１４の裏面側には第１レンズシート２１３が配置される。第１レンズシート２１３の裏面側には導光板２１１が配置され、導光板２１１の裏面側には反射シート２１２が配置される。
【００１７】
第１レンズシート２１３と第２レンズシート２１４は、導光板２１１の表面から放射された光の指向性を高める。拡散シート２１５は、第１レンズシート２１３と第２レンズシート２１４によって指向性が高められた光を適度に拡散させる。反射シート２１２は、導光板２１１から漏れ出した光を反射して導光板２１１に入射させる。反射シート２１２は、例えば、発泡ＰＥＴ（ポリエチレンテレフタレート）である。また、反射シート２１２は、銀蒸着フィルム、多層膜反射フィルム、白色ＰＥＴなどでもよい。反射シート２１２、第１レンズシート２１３、第２レンズシート２１４及び拡散シート２１５は、必要に応じて設けられるものであり、省略してもよい。
【００１８】
図１及び図２に示すように、導光体２１０の側方には、光源２２０が配置される。換言すると、光源２２０は、導光体２１０の側面２１０ａと対向して配置され、導光体２１０の側面２１０ａから光を入射させる。本実施形態では、光源２２０は導光体２１０の長辺に沿って設けているが、短辺に沿って設けてもよい。光源２２０は、複数の発光体（発光ダイオードなど）が間隔をおいて配置されるものでもよく、１つの線状の発光体（冷陰極管など）によって構成されるものでもよい。
【００１９】
本実施形態では、光源２２０は、例えば、複数の発光体２２１と、実装基板２２２と、を有する。発光体２２１は、発光ダイオード（ＬＥＤ、Ｌｉｇｈｔ  Ｅｍｉｔｔｉｎｇ  Ｄｉｏｄｅ）である。複数の発光体２２１は、実装基板２２２の上に実装されている。複数の発光体２２１は、導光体２１０の側面２１０ａに沿って間隔をおいて配置されている。
【００２０】
放熱板３０は、反射シート２１２の裏面側に配置される。放熱板３０は、例えばアルミニウム又はアルミニウム合金で形成されている。これにより、放熱性が高まる。放熱板３０の厚さは、１ｍｍ以上１．５ｍｍ以下である。放熱板３０の厚さが１ｍｍ以上大きいと、より放熱効率が高まるが、放熱板３０の厚さが大きくなり過ぎてしまうと、表示装置１の厚みも大きくなってしまうので、放熱板３０の厚さは、１．５ｍｍ以下が望ましい。
【００２１】
放熱板３０は、平板状に形成され、突出部３１０を有している。突出部３１０は、導光板２１１の側面２１１ａよりも側方（外側）に突き出ている。突出部３１０の表面には、実装基板２２２が固定され、実装基板２２２の表面には複数の発光体２２１が実装されている。
【００２２】
収容体４０は、第１収容体４１０と、第２収容体４２０とを備える。第１収容体４１０は、下フレームとも呼ばれ、第２収容体４２０は、上フレームとも呼ばれる。第１収容体４１０と、第２収容体４２０とは、嵌め合うことで、導光体２１０と、放熱板３０と、を収容する。第１収容体４１０及び第２収容体４２０は、本実施形態では金属製であり、例えば、薄い厚さのステンレス鋼板である。
【００２３】
第１収容体４１０及び第２収容体４２０の厚さは、０．３ｍｍ以上０．５ｍｍ以下である。放熱板３０と比較すると、第１収容体４１０及び第２収容体４２０の厚さは、放熱板の厚みの１／５倍から１／２倍である。本実施形態では、第１収容体４１０及び第２収容体４２０の厚さは、例えば０．３ｍｍである。図１に示すように、第１収容体４１０は、第１部位４１１と、第２部位４１２とを有する。
【００２４】
第１部位４１１は、放熱板３０の裏面に接着層５１を介して接着される平板状の部位である。接着層５１は、例えば両面テープである。このように、第１部位４１１は、放熱板３０の裏面側に配置される。第２部位４１２は、第１部位４１１の外周端４１８から表面側に向けて延びる。第２部位４１２は、光源２２０、導光体２１０の側面２１０ａ及び放熱板３０の側面３０ａの側方に配置される。第１部位４１１及び第２部位４１２の厚さは、０．３ｍｍ以上０．５ｍｍ以下である。放熱板３０と比較すると、第１収容体４１０及び第２収容体４２０の厚さは、放熱板の厚みの１／５倍以上１／２倍以下である。
【００２５】
また、第１収容体４１０は、図３に示すように、平面視で周縁部が矩形状に形成されている。即ち、周縁部が、２つの長辺４１３Ａ，４１３Ｂ及び２つの短辺４１４Ａ，４１４Ｂを有する矩形状（長方形状）に形成されている。２つの長辺４１３Ａ，４１３Ｂは、互いに間隔をおいて配置されている。２つの短辺４１４Ａ，４１４Ｂは、互いに間隔をおいて配置されている。第１収容体４１０は、第１連結部４１５と、第２連結部４１６と、を有する。
【００２６】
第１連結部４１５は、２つの長辺４１３Ａ，４１３Ｂの中央部同士を結ぶ。第２連結部４１６は、２つの短辺４１４Ａ，４１４Ｂの中央部同士を結ぶ。第１連結部４１５と第２連結部４１６は、中心部４１７で交差する。このように、第１収容体４１０には、略同一の大きさの開口４１８Ａ、開口４１８Ｂ、開口４１８Ｃ及び開口４１８Ｄが設けられる。第１収容体４１０は、開口４１８Ａ、開口４１８Ｂ、開口４１８Ｃ及び開口４１８Ｄが設けられることにより、放熱板３０が露出して放熱効率が高まる。また、第１収容体４１０は、開口４１８Ａ、開口４１８Ｂ、開口４１８Ｃ及び開口４１８Ｄが設けられることにより、第１収容体４１０が軽量化されている。なお、第１部位４１１及び第２部位４１２のそれぞれは、第１収容体４１０の周縁部の略全周に亘って繋がって形成されている。
【００２７】
第２収容体４２０は、図１に示すように、第３部位４２２と、第４部位４２１とを有する。本実施形態では、第３部位４２２は、第２部位４１２の外側に配置される。ただし、第３部位４２２は、第２部位４１２の内側に配置されてもよい。第４部位４２１は、第３部位４２２の表面側の端部４２３から内側に向けて延びる。なお、第４部位４２１の表面には、接着部材５２が固定され、接着部材５２の表面に表示パネル１０が設けられる。接着部材５２は、例えばクッションテープである。第３部位４２２は、第２部位４１２と当接している。第２部位４１２の表面側の先端（図１の上端）は、第４部位４２１の裏面に当接している。従って、第２収容体４２０は、第１収容体４１０によって支持される。
【００２８】
図４に示すように、第２収容体４２０は、平面視で周縁部が矩形状に形成されている。即ち、周縁部が、２つの長辺４２４Ａ，４２４Ｂ及び２つの短辺４２５Ａ，４２５Ｂを有する矩形状（長方形状）に形成されている。２つの長辺４２４Ａ，４２４Ｂは、互いに間隔をおいて配置されている。２つの短辺４２５Ａ，４２５Ｂは、互いに間隔をおいて配置されている。第２収容体４２０には、開口４２６が設けられる。なお、第３部位４２２及び第４部位４２１のそれぞれは、第２収容体４２０の周縁部の略全周に亘って繋がって形成されている。
【００２９】
上述した特許文献１において、光源及び導光体が発熱するため、導光体の裏面には放熱板が取り付けられる。特許文献１のように、放熱板の周縁部が折り曲げられ、放熱板を導光体の収容体にすることもできる。しかしながら、表示領域の外周に位置する額縁領域が放熱板の厚み分大きく見えてしまう。
【００３０】
これに対して、本実施形態に係る表示装置１は、表示パネル１０と、導光体２１０と、放熱板３０と、収容体４０と、を備える。導光体２１０は、表示パネル１０の裏面側に配置される。放熱板３０は、導光体２１０の裏面側に配置される。収容体４０は、導光体２１０及び放熱板３０を収容する。また、収容体４０は、放熱板３０の裏面側に配置される第１部位４１１と、第１部位４１１から折り曲げられ、放熱板３０の側面に配置される第２部位４１２とを含む第１収容体を有している。そして、第２部位４１２の厚みは、放熱板３０の厚みよりも薄い。これにより、表示領域の外周に位置する額縁領域が狭額縁化される。
【００３１】
このように、放熱板３０は、平板状に形成され、導光板２１１の側面２１１ａよりも外側に突き出る突出部３１０を有する。突出部３１０の表面側に光源２２０が固定される。上述した特許文献１のような、放熱板の周縁部が屈曲して表面側に向けて延びる縦壁部に形成され当該縦壁部における内側に光源が固定されている形態と比較すると、当該縦壁部の厚さ分だけ、本実施形態の方が表示装置１の額縁領域である遮光部６２を狭くすることができる。これにより、表示装置１の狭額縁化が可能となる。なお、放熱板３０が平板状であるので、放熱板３０を厚く形成して放熱効率を向上させても、表示装置１の額縁領域である遮光部６２の面積は変わらず、表示装置１の狭額縁化が可能となる。
【００３２】
本実施形態において、実装基板２２２が平板状の放熱板３０の表面に放熱しつつ、光源２２０が導光板２１１の側面２１１ａに対向して配置される。光源２２０は、実装基板２２２の表面の法線方向と交差する方向に光を照射する、いわゆるサイドビュー型である。このため、バックライト部が曲面形状であっても、本実施形態の構造を採用することができる。
【００３３】
収容体４０は、光源２２０、導光板２１１の側面２１１ａ及び放熱板３０の側面３０ａの外側を覆う。この収容体４０によれば、表示装置１の剛性が向上するため、振動等が生じても取付位置がずれにくく、例えば車両等に搭載するのに適している。
【００３４】
収容体４０は、放熱板３０の裏面側に配置される第１部位４１１と、光源２２０、導光板２１１の側面及び放熱板３０の側面３０ａの外側に配置される第２部位４１２とを含む第１収容体４１０を有する。第１収容体４１０によって、光源２２０、導光板２１１及び放熱板３０が保護される。
【００３５】
収容体４０は、第２部位４１２の外側に配置される第３部位４２２と、表示パネル１０の裏面側に配置され、表示パネル１０を支持する第４部位４２１とを含む第２収容体４２０を有する。第３部位４２２によって、光源２２０、導光板２１１及び放熱板３０が外部からの衝撃等に対して保護される。第４部位４２１によって、表示パネル１０が支持される。なお、前述したように、第４部位４２１を含む第２収容体４２０は、第１収容体４１０によって支持される。従って、表示パネル１０は、第２収容体４２０を介して第１収容体４１０によって支持される。
【００３６】
[変形例]
図５は、変形例に係る表示装置の断面図である。実施形態と同一構造の部位には、同一符号を付けて、説明を省略する。
【００３７】
図５に示すように、変形例に係る表示装置１Ａは、表示パネル１０Ａと、バックライト部（照明部）２０Ａと、放熱板３０と、収容体４０Ａとを有する。
【００３８】
表示パネル１０Ａは、第１基板１０１と、第２基板１０２と、液晶層１０３と、第１偏光板１０４と、第２偏光板１０５と、フレキシブルプリント基板（ＦＰＣ、Ｆｌｅｘｉｂｌｅ  Ｐｒｉｎｔｅｄ  Ｃｉｒｃｕｉｔｓ）１１３と、ドライバＩＣ１１２と、を有する。最も表面側（図５の上側）には、第１偏光板１０４が配置され、第１偏光板１０４の裏面側（図５の下側）には第１基板１０１が配置される。第１基板１０１の裏面側には液晶層１０３が配置され、液晶層１０３の裏面側には第２基板１０２が配置される。第２基板１０２の裏面側には第２偏光板１０５が配置される。第１基板１０１、液晶層１０３及び第１偏光板１０４の外周縁は、後述する第２収容体４２０Ａの第４部位４２１Ａの内周縁の近傍まで延びている。第２基板１０２及び第２偏光板１０５は、第１基板１０１、液晶層１０３及び第１偏光板１０４の外周縁よりも外側に張り出している。
【００３９】
この張り出し部分には、液晶層１０３を駆動するためのドライバＩＣ１１２が実装されると共にフレキシブルプリント基板１１３が貼着される。詳細には、第２基板１０２の表面に、ドライバＩＣ１１２が実装され、ドライバＩＣ１１２の外側にフレキシブルプリント基板１１３が貼着される。
【００４０】
表示パネル１０Ａは、透光部６１Ａと、透光部６１Ａの外側に配置された遮光部６２Ａとを有する。透光部６１Ａは表示装置１Ａの表示領域であり、遮光部６２Ａは表示装置１Ａの額縁領域である。
【００４１】
バックライト部２０Ａは、導光体２１０Ａと、光源２２０Ａとを有する。導光体２１０Ａは、板状の部材であり、例えば、平面視で矩形形状を有する。導光体２１０Ａは、例えば、導光板２１１Ａと、反射シート２１２Ａと、第１レンズシート２１３Ａと、第２レンズシート２１４Ａと、拡散シート２１５Ａと、ガラス基板２１６Ａと、を有する。
【００４２】
拡散シート２１５Ａの裏面側にはガラス基板２１６Ａが配置される。ガラス基板２１６Ａの裏面側には第２レンズシート２１４Ａが配置され、第２レンズシート２１４Ａの裏面側には第１レンズシート２１３Ａが配置される。第１レンズシート２１３Ａの裏面側には導光板２１１Ａが配置され、導光板２１１Ａの裏面側には反射シート２１２Ａが配置される。
【００４３】
第１レンズシート２１３Ａと第２レンズシート２１４Ａは、導光板２１１Ａの表面から放射された光の指向性を高める。拡散シート２１５Ａは、第１レンズシート２１３Ａと第２レンズシート２１４Ａによって指向性が高められた光を適度に拡散させる。反射シート２１２Ａは、導光板２１１Ａから漏れ出した光を反射して導光板２１１Ａに入射させる。反射シート２１２Ａ、第１レンズシート２１３Ａ、第２レンズシート２１４Ａ、ガラス基板２１６Ａ及び拡散シート２１５Ａは、必要に応じて設けられるものであり、省略してもよい。
【００４４】
導光板２１１Ａの側方には、光源２２０Ａが配置される。換言すると、光源２２０Ａは、導光板２１１Ａの側面２１１Ａａと対向して配置され、側面２１１Ａａから導光板２１１Ａへ光を入射させる。光源２２０Ａは、複数の発光体（発光ダイオードなど）が間隔をおいて配置されるものでもよく、１つの線状の発光体（冷陰極管など）によって構成されるものでもよい。
【００４５】
本実施形態では、光源２２０は、例えば、複数の発光体２２１と、実装基板２２２Ａと、を有する。発光体２２１は、発光ダイオードである。複数の発光体２２１は、実装基板２２２Ａの上に実装されている。複数の発光体２２１は、導光板２１１Ａの側面２１１Ａａに沿って間隔をおいて配置されている。
【００４６】
放熱板３０は、反射シート２１２Ａの裏面側に配置される。放熱板３０は、平板状に形成され、突出部３１０Ａを有している。突出部３１０Ａは、導光板２１１の側面２１１ａよりも側方（外側）に突き出ている。突出部３１０Ａの表面には、実装基板２２２が固定され、実装基板２２２の表面には複数の発光体２２１が実装されている。
【００４７】
収容体４０Ａは、第１収容体４１０と、第２収容体４２０Ａとを備える。第１収容体４１０は金属製であり、第２収容体４２０Ａは樹脂製である。
【００４８】
第１収容体４１０は、第１部位４１１と、第２部位４１２とを有する。第１部位４１１は、放熱板３０の裏面に接着層５１を介して接着される平板状の部位である。接着層５１は、例えば両面テープである。このように、第１部位４１１は、放熱板３０の裏面側に配置される。第２部位４１２は、第１部位４１１の外周端４１８から表面側に向けて延びる。第２部位４１２は、光源２２０Ａ、導光板２１１Ａの側面２１１Ａａ及び放熱板３０の側面３０ａの側方に配置される。
【００４９】
本実施形態では、第２収容体４２０Ａは、樹脂フレームである。第２収容体４２０Ａは、第３部位４２２Ａと、第４部位４２１Ａと、を有する。本実施形態では、第３部位４２２Ａは、第２部位４１２の外側に配置される。ただし、第３部位４２２Ａは、第２部位４１２の内側に配置されてもよい。第４部位４２１Ａは、第３部位４２２Ａの先端４２３Ａから内側に向けて延びる。第４部位４２１Ａの裏面には、裏面側（図５の下側）へ向けて突出する凸部４２７Ａが設けられる。凸部４２７Ａの裏面は、導光板２１１Ａの表面と当接する。
【００５０】
第３部位４２２Ａは、第２部位４１２と当接している。第２部位４１２の表面側の先端（図５の上端）は、第４部位４２１Ａの裏面に当接している。従って、第２収容体４２０Ａは、第１収容体４１０によって支持される。なお、第４部位４２１Ａの表面には、接着部材５２Ａが固定され、接着部材５２Ａの表面に表示パネル１０Ａが設けられる。接着部材５２Ａは、例えばクッションテープである。従って、表示パネル１０Ａは、第２収容体４２０Ａを介して第１収容体４１０で支持される。
【００５１】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。上述した各実施形態及び各変形例の要旨を逸脱しない範囲で、構成要素の種々の省略、置換及び変更のうち少なくとも１つを行うことができる。
【符号の説明】
【００５２】
１，１Ａ  表示装置
１０，１０Ａ  表示パネル
２１１，２１１Ａ  導光板
２１１ａ，２１１Ａａ  側面
２２０，２２０Ａ  光源
３０  放熱板
３１０，３１０Ａ  突出部
４０，４０Ａ  収容体
４１０  第１収容体
４１１  第１部位
４１２  第２部位
４２０，４２０Ａ  第２収容体
４２１，４２１Ａ  第４部位
４２２，４２２Ａ  第３部位
【図１】
2020154192.tif 000003
【図２】
2020154192.tif 000004
【図３】
2020154192.tif 000005
【図４】
2020154192.tif 000006
【図５】
2020154192.tif 000007